(57)【要約】【課題】本発明は、通常と同等のバウンス光を被写体に照射して、好適なバウンス撮影を行えるストロボ装置を得る。【解決手段】本発明のストロボ装置は、測定した反射体までの測距値が、基準距離範囲外である場合、被写体までの測距値、測定した発光部１０の照射角度、および予め設定された発光部１０の配光特性に基づいて、キャッチシート１１の進出長さを算出するとともに、キャッチシート１１の進出長さを調整し、バウンス撮影を行う。【選択図】図２
2015031899.tif 000002
【特許請求の範囲】
【請求項１】
撮像装置に連結されるストロボ本体部と、
外部に照射光を照射するための光源、および、光源からの光を外部に向けて透過させる照射面を有する発光部であって、ストロボ本体部に回転可能に連結される発光部と、
被写体までの距離を測定する第１の測距部、および、前記発光部からの照射光を前記被写体に反射するための反射体までの距離を測定する第２の測距部を有する測距手段と、
前記被写体と前記光源とを結ぶ直線に対する前記光源の光軸の照射角度を測定する照射角度測定手段と、
前記発光部の光源の光軸方向と平行又は略平行に移動可能なキャッチシートであって、照射面の前方側に出退可能となるように、前記発光部におけるストロボ本体部に対する傾動方向の上部に収容されるキャッチシートと、
前記照射面の前方側で出退させるべく、前記キャッチシートを往復移動させるキャッチシート移動手段と、
異なるバウンス条件を基に予め設定された反射体までの基準距離範囲、および、予め設定された発光部の配光特性が記憶された設定基準記憶手段とを備え、
前記第２の測距部による測定結果が前記基準距離範囲外である場合、キャッチシートを進出させるような警告を発する，またはキャッチシートを進出させるようにしたことを特徴とするストロボ装置。
【請求項２】
前記第２の測距部による測定結果が前記基準距離範囲外である場合、被写体までの測距値、測定した発光部の照射角度、および予め設定された発光部の配光特性に基づいて、キャッチシートの進出長さを算出するとともに、キャッチシートの進出長さを調整する制御手段をさらに備えたことを特徴とする請求項１に記載のストロボ装置。
【請求項３】
前記発光部の照射角度を、照射角度測定位置からバウンス撮影位置に調整する照射角度調整手段をさらに備え、
前記照射角度調整手段は、測定した反射体までの測距値が、前記基準距離範囲外である場合、被写体までの測距値、測定した発光部の照射角度、および予め設定された発光部の配光特性に基づいて、発光部の照射角度をバウンス撮影位置に調整するようにしたことを特徴とする請求項１又は請求項２に記載のストロボ装置。
【請求項４】
前記発光部の光源を光軸方向に往復移動させる光源移動手段をさらに備え、
前記制御手段は、前記被写体までの測距値、調整後の前記発光部の照射角度、および前記キャッチシートの進出長さに基づいて、前記光源を移動させることを特徴とする請求項１乃至請求項３のいずれか１項に記載のストロボ装置。
【請求項５】
前記第１の測距部の測定値および前記第２の測距部の測定値、バウンス撮影する際の前記発光部の照射角度、前記キャッチシートの進出長さ、前記光源の移動位置のうち、少なくとも１つが表示される表示手段を備えたことを特徴とする請求項１乃至請求項４のいずれか１項に記載のストロボ装置。
【請求項６】
前記請求項１乃至請求項４のいずれか１項に記載のストロボ装置を備えたことを特徴とする撮像装置。
【請求項７】
前記キャッチシートの進出長さに適した、シャッタスピードおよび絞り値が設定できるように構成されることを特徴とする請求項６に記載の撮像装置。
【発明の詳細な説明】
【技術分野】
【０００１】
本発明は、発光部から出射される光の照射範囲を制御するように構成したストロボ装置及びストロボ装置を備えた撮像装置に関する。
【背景技術】
【０００２】
従来から、より自然な画像を得るために、ストロボ装置の発光部から光を天井や壁などの反射体に照射して拡散させ、被写体を間接的に照明して撮影するバウンス撮影が行われている。
【０００３】
バウンス撮影に使用されるストロボ装置には、種々のタイプのものがあるが、何れも、撮像装置に連結されるストロボ本体部と、閃光放電管等の光源及び光源からの光を外部に向けて透過させる照射面を有する発光部であって、ストロボ装置に回転可能に連結された発光太を備える。これにより、この種のストロボ装置は、撮像装置に連結されたストロボ本体部に対する発光部の回転角度を変更することで、発光部の照射面の向き（光の照射方向）を変更できるようになっている。
【０００４】
そして、この種のストロボ装置には、発光部の光軸に対して平行又は略平行に移動可能に設けられたキャッチシートであって、発光部の照射面の前方で出退可能なキャッチシートを備えたものがある。一般的に、キャッチシートは、発光部の内部に収容され、必要に応じて、照射面の前方に引き出される。
【０００５】
かかるストロボ装置でバウンス撮影する場合、ストロボ装置は、発光部の照射面を被写体とは正対させず、天井や壁などの反射体のある方向に向けて照射する。この際、キャッチシートが照射面の前方に引き出される。これにより、バウンス撮影時において、天井や壁で反射して被写体に照射される光と、キャッチシートで反射して被写体に照射される光とを得ることができるため、バウンス撮影（間接照明による撮影）であっても、キャッチシートで反射した光により、被写体の瞳が生き生きとした写真を得ることができる（特許文献１参照）。
【先行技術文献】
【特許文献】
【０００６】
【特許文献１】実開平６−２３４５号公報
【発明の概要】
【発明が解決しようとする課題】
【０００７】
しかしながら、特許文献１に記載されているストロボ装置において、天井や壁などの反射体との距離が遠い場合、または、反射体が傾斜している場合、あるいは、反射体がない場合などは、バウンス光が十分に得ることができず、良好なバウンス撮影ができないという問題がある。
【０００８】
本発明は、かかる事情に鑑み、反射体による反射光の効果が期待できなくても、十分なバウンス光を被写体に照射して、好適なバウンス撮影を行うことができるストロボ装置及びストロボ装置を備えた撮像装置を提供することを目的とする。
【課題を解決するための手段】
【０００９】
本発明のストロボ装置は、ストロボ本体部と、該ストロボ本体部に回転可能に連結され、外部に照射光を照射するための光源を有する発光部と、被写体までの距離を測定する第１の測距部、および、前記発光部からの照射光を前記被写体に反射するための反射体までの距離を測定する第２の測距部を有する測距手段と、前記被写体と前記光源とを結ぶ直線に対する前記光源の光軸の照射角度を測定する照射角度測定手段と、前記発光部の照射角度を、照射角度測定位置からバウンス撮影位置に調整する照射角度調整手段と、前記発光部の光源の光軸方向と平行又は略平行に移動可能なキャッチシートであって、照射面の前方側に出退可能となるように、前記発光部におけるストロボ本体部に対する傾動方向の上部に収容されるキャッチシートと、前記照射面の前方側で出退させるべく、前記キャッチシートを往復移動させるキャッチシート移動手段と、異なるバウンス条件を基に予め設定された反射体までの基準距離範囲、および、予め設定された発光部の配光特性が記憶された設定基準記憶手段と、前記第２の測距部による測定結果が前記基準距離範囲外である場合、キャッチシートを進出させるような警告を発する，またはキャッチシートを進出させるようにしたことを特徴とする。
【００１０】
かかる構成によれば、測定した反射体までの測距値が、基準距離範囲外である場合、すなわち、反射体によるバウンス効果が期待できない場合、キャッチシートを進出させるような警告を発する，またはキャッチシートを進出するようにしたので、進出したキャッチシートによって、発光部からの光が反射され、被写体に対して好適な角度で照射される。
前記第２の測距部による測定結果が前記基準距離範囲外である場合、被写体までの測距値、測定した発光部の照射角度、および予め設定された発光部の配光特性に基づいて、キャッチシートの進出長さを算出するとともに、キャッチシートの進出長さを調整する制御手段をさらに備えることが好ましい。
【００１１】
かかる構成によれば、測定した反射体までの測距値が、基準距離範囲外である場合、すなわち、反射体によるバウンス効果が期待できない場合、被写体までの測距値、測定した発光部の照射角度、および予め設定された発光部の配光特性に基づいて、キャッチシートの進出長さを調整するとともに、キャッチシートの進出長さを調整するようにしたので、進出長さが調整されたキャッチシートによって反射された光が、被写体に対して好適な角度で照射されるようになり、通常のバウンス撮影と略同等のバウンス撮影が可能になる。
【００１２】
また、請求項２に係る発明によれば、前記発光部の照射角度を、照射角度測定位置からバウンス撮影位置に調整する照射角度調整手段をさらに備え、前記制御手段は、測定した反射体までの測距値が、前記基準距離範囲外である場合、被写体までの測距値、測定した発光部の照射角度、および予め設定された発光部の配光特性に基づいて、発光部の照射角度をバウンス撮影位置に調整するようにしてもよい。
【００１３】
かかる構成によれば、発光部の照射角度がバウンス撮影位置に調整されることで、進出調整されたキャッチシートによって反射された光が、被写体に対してより好適な角度で照射されるようになる。
【００１４】
また、請求項３に係る発明は、前記発光部の光源を光軸方向に往復移動させる光源移動手段をさらに備え、前記制御手段は、前記被写体までの測距値、調整後の前記発光部の照射角度、および前記キャッチシートの進出長さに基づいて、前記光源を移動させる構成を採用することもできる。
【００１５】
かかる構成によれば、被写体までの測距値、調整後の発光部の照射角度、およびキャッチシートの進出長さに基づいて、発光部を移動して発光するようにしたので、バウンス撮影に適した光量を被写体に照射することができる。
【００１６】
また、請求項４に係る発明は、前記第１の測距手段の測定値および前記第２の測距手段の測定値、バウンス撮影する際の前記発光部の照射角度、前記キャッチシートの進出長さ、前記光源の移動位置のうち、少なくとも１つが表示される表示手段を備える様な構成を採用することもできる。
【００１７】
かかる構成によれば、反射体がない場合のバウンス撮影に必要とされるデータを視認することができる。
【００１８】
本発明の撮像装置は、前記いずれかのストロボ装置を備えたことを特徴とする。
【００１９】
かかる構成によれば、反射体がない場合にキャッチシートが進出して、バウンス撮影ができる撮像装置を提供することができる。
【００２０】
また、請求項６に係る発明は、キャッチシートの進出長さに適した、シャッタスピードおよび絞り値が設定できるような構成を採用することもできる。
【００２１】
かかる構成によれば、キャッチシートの進出長さに適した、シャッタスピードおよび絞り値が設定されるので、バウンス撮影に適した写真撮影が行える。
【発明の効果】
【００２２】
以上のように、本発明によれば、反射体による反射光の効果が期待できなくても、十分なバウンス光を被写体に照射して、好適なバウンス撮影を行うことができる。
【図面の簡単な説明】
【００２３】
【図１】本発明の第１実施形態に係る撮像装置の構成を示すブロック図
【図２】同実施形態に係るストロボ装置の側面図
【図３】同実施形態に係るストロボ装置の上面図
【図４】同実施形態に係るストロボ装置の底面図
【図５】同実施形態に係るストロボ装置の発光部が、傾倒位置と起立位置との間で照射角度が調整されて、移動する際の説明図
【図６】同実施形態に係るストロボ装置において、キャッチシートを進出させて、バウンス撮影する状態を示す説明図
【図７】同実施形態に係るストロボ装置の使用態様を示すフロー図であり、反射体までの測距値が基準距離許容範囲外である場合の制御内容を示す説明図
【図８】同実施形態に係るストロボ装置の使用態様を示すフロー図であり、反射体までの測距値が基準距離許容範囲以内である場合の制御内容を示す説明図
【図９】同実施形態に係るストロボ装置において、遮光板を進出させて、バウンス撮影する状態を示す説明図
【発明を実施するための形態】
【００２４】
本発明の一実施形態に係る撮像装置及びストロボ装置について、図１〜図９を参酌しつつ、説明する。
【００２５】
同実施形態に係る撮像装置１は、図１に示すように、被写体に照射光を照射するストロボ装置２を装着可能に構成している。なお、図２〜図６において、被写体側をストロボ装置の前方とし、被写体側の反対側をストロボ装置の後方とし、被写体の上側および下側を、ストロボ装置の上側および下側とする。
【００２６】
また、撮像装置１は、被写体を撮像する撮影機能部３と、ストロボ装置２および撮影機能部３を制御する演算部４と、被写体を撮像した画像などを表示する表示部５と、撮影条件の設定や電源を切り換えるための操作部６と、周辺機器との間で画像データなどを入出力するためのインターフェース７とを備えている。
【００２７】
ストロボ装置２は、図２〜図４に示すように、ストロボ本体部８と、発光部１０と、キャッチシート１１と、遮光板１２と、キャッチシート移動手段１３と、遮光板移動手段１４と、照射角度測定手段１５Ａと、照射角度調整手段１５Ｂと、発光部移動手段１６と、制御手段１７と、操作部１８とを備えている。
【００２８】
ストロボ本体部８は、矩形状に形成された筐体であり、その上面側に発光部１０を回転可能に連結し、その下面側に撮像装置１を連結可能に構成されている。また、ストロボ本体部８は、前面が撮像装置１の撮影方向Ｂ（撮像レンズの光軸方向）を向くように撮像装置１に連結される。
【００２９】
発光部１０は、光源としての閃光放電管１００と、該閃光放電管１００の光を反射して外部に照射させる反射傘１０１と、閃光放電管１００及び反射傘１０１が内部に配置された、略矩形状の筐体１０２とを備えている。
【００３０】
そして、発光部１０は、図５に示すように、制御手段１７によって、ストロボ本体部８の幅方向Ｄ（図３参照）に沿って設けられる軸９を中心にして、ストロボ本体部８に対して傾倒位置と起立位置Ａとの間を回動できるように構成されている。そうすることで、照射光の照射される照射角度Ｃが変更できるようになっている。
【００３１】
筐体１０２は、一方の面（前面）側に配置された照射面１０３と、筐体１０２の上部に形成されたキャッチシート１１の収納スペース１０４と、筐体１０２の下部に形成された遮光板１２の収納スペース１０５とを有している。そして、閃光放電管１００の照射光が照射面１０３を通して外部へ照射されるようになっている。
【００３２】
キャッチシート１１は、閃光放電管１００の光軸方向に対して平行になるように、上述した上部の収納スペース１０４に、照射面１０３の前方側に出退可能となるように収納されている。そして、キャッチシート１１は、キャッチアイ撮影する場合、および、バウンス撮影する場合において使用される。
【００３３】
遮光板１２は、閃光放電管１００の光軸方向に対して平行になるように、上述した下部の収納スペース１０５に、照射面１０３の前方側に出退可能となるように収納されている。そして、遮光板１２は、発光部１０の照射面１０３を通して被写体に直接照射する照射光を遮蔽する。
【００３４】
キャッチシート移動手段１３は、図示しないモータと、該モータの回動軸に、図示しない減速機構を介して連結された複数のローラ１３０とを備えている。そして、キャッチシート１１は、複数のローラ１３０の回動によって、照射面１０３の前方側で出退するべく、往復移動するようになっている。
【００３５】
遮光板移動手段１４は、図示しないモータと、該モータの回動軸に、図示しない減速機構を介して連結された複数のローラ１４０とを備えている。そして、遮光板１２は、複数のローラ１４０の回動によって、照射面１０３の前方側で出退するべく、往復移動するようになっている。
【００３６】
照射角度測定手段１５Ａは、閃光放電管１００の中心と被写体とを結ぶ直線に対する閃光放電管１００の光軸の照射角度をセンサで測定する。
【００３７】
照射角度調整手段１５Ｂは、バウンス撮影する際の閃光放電管１００の照射角度を、照射角度測定位置と起立位置との間で調整する。
【００３８】
発光部移動手段１６は、閃光放電管１００を光軸方向に沿って往復移動する。そして、発光部移動手段１６は、バウンス撮影する場合は、閃光放電管１００を照射面１０３側に移動する。
【００３９】
制御手段１７は、測距手段としての第１の測距部１７０、および、第２の測距部１７１と、設定基準記憶部１７２と、測定・調整データ記憶部１７３と、演算処理部１７４とを備えている。
【００４０】
第１の測距部１７０は、センサであり、被写体までの距離を測定する。
【００４１】
第２の測距部１７１は、センサであり、発光部１０からの照射光を被写体に反射するための反射体までの距離を測定する。
【００４２】
設定基準記憶部１７２は、異なるバウンス条件を基に予め設定された反射体までの基準距離範囲、予め設定された発光部１０の配光特性が記憶されている。
【００４３】
測定・調整データ記憶部１７３は、第１の測距部１７０および第２の測距部１７１によって測定された測距値、測定された発光部１０の照射角度、角度調整された発光部１０の照射角度、移動した際のキャッチシート１１の進出長さが記憶される。
【００４４】
演算処理部１７４は、第２の測距部１７１によって測定した反射体までの測距値が、基準距離範囲外である場合、被写体までの測距値、測定した発光部１０の照射角度、および予め設定された発光部１０の配光特性に基づいて、発光部の１０照射角度をバウンス撮影位置に調整するとともに、キャッチシート１１の進出長さを調整する。
【００４５】
また、制御手段１７は、撮影モードを切り替え可能に構成されている。具体的に説明すると、撮影モードには、通常撮影モードとバウンス撮影モードとがある。
【００４６】
通常撮影モードでは、光軸が水平に位置するように、照射角度調整手段１５Ｂによって、発光部１０の照射角度が調整される。すなわち、照射光が撮影方向Ｂ（被写体のある方向）に照射される。
【００４７】
バウンス撮影モードでは、照射光が天井などの反射体のある方向に照射されるように、発光部１０の傾斜角度が調整される。
【００４８】
この際、制御手段１７は、上述した照射角度測定手段１５Ａにおけるセンサの検知信号に基づいて、発光部１０の光軸が傾倒位置（通常撮影位置）にあるのか否かを判定するとともに、反射体との距離が基準距離範囲外であるか否かを判定する。例えば、反射体がなくてバウンス撮影できないと判定された場合、閃光放電管１００の中心と被写体とを結ぶ直線に対する閃光放電管１００の位置（角度）から、バウンス撮影ができないに場合に設定される、通常照射角度とは異なる所定角度（傾倒位置から起立位置との間で設定される角度）に、発光部１０の角度を調整する。
【００４９】
この際、発光部１０がバウンス照射位置に位置変更中であっても、ストロボ本体部８は静止している。すなわち、静止状態のストロボ本体部８に照射調整手段１５が設けられることで、発光部１０の精度の高い回転（バウンス）角度の制御が可能となる。
【００５０】
また、制御手段１７は、反射体の作用効果が期待できない場合において、発光部１０の照射角度を、傾倒位置と起立位置との間で調整するようにしているが、測距センサと、発光部１０から照射された照射光を受光する受光センサとで、被写体または反射体までの距離を計測する測距手段に適用する場合において、発光部１０の照射角度を被写体または反射体に向くように調整する場合もある。
【００５１】
操作部１８は、ストロボ本体部８の背面に設けられており、ユーザが所望する発光部１０の照射角度を手動操作によって設定できるように構成されている。操作部１８において入力された発光部１０の照射角度、閃光放電管１００の位置、キャッチシート１１の進出長さは、制御手段１７の演算処理部１７４において演算されて、キャッチシート移動手段１３によって、所要の処理がなされる。
【００５２】
つぎに本実施形態に係る撮像装置１のバウンス撮影モードの動作について、図５〜図８を参照しつつ説明する。ストロボ装置２は、初期状態として通常撮影モードが選択されている。このとき、ストロボ装置２の発光部１０は、図５の鎖線に示すように、照射方向Ｃが被写体に対向する方向（通常撮影位置）Ｂを向いているものとする。
【００５３】
この状態において、ユーザによって、通常撮影モードからバウンス撮影モードに切り替えられた場合、まず、制御手段１７は、図７に示すように、異なるバウンス条件を基に予め設定された反射体までの基準距離範囲、および、予め設定された閃光放電管１００の配光特性を、設定基準記憶部１７２から読み出す（Ｓ０１）。
【００５４】
そして、制御手段１７は、これと同時に測距を行う。具体的には、第１の測距部１７０によって、被写体までの距離が測定される（Ｓ０２０）とともに、第２の測距部１７１によって、反射体までの距離が測定される（Ｓ０２１）。
【００５５】
そして、第１の測距部１７０および第２の測距部１７１によって測定されたデータ、および、測定された照射角度のデータは、Ａ／Ｄ変換部（図示せず）を通して制御手段１７の測定・調整データ記憶部１７３に記憶される（Ｓ０３）。
【００５６】
また、制御手段１７は、設定基準の読み出し、測距と同時に、現時点の発光部１０の照射角度を測定する（Ｓ０４）。
【００５７】
また、制御手段１７は、設定基準の読み出し、測距、角度測定と同時に、キャッチシート１１の収納位置および閃光放電管１００の収納位置を検知する（Ｓ０５、Ｓ０６）。
【００５８】
つぎに、制御手段１７は、反射体までの測距値が、基準距離許容範囲外であるか否かを判定する（Ｓ０３０）。
【００５９】
そして、反射体までの測距値が、基準距離許容範囲外である場合、制御手段１７は、反射体までの測距値が基準距離許容範囲外である警告を発するとともに，被写体までの測距値、測定した発光部１０の照射角度、配光特性に基づいて、発光部１０の照射角度およびキャッチシート１１の進出長さを算出する（Ｓ０３１）。
【００６０】
つぎに、制御手段１７は、図６に示すように、発光部１０を、算出された照射角度の位置（図５の実線に示すバウンス撮影位置）に角度調整する（Ｓ０３２）とともに、キャッチシート１１を、算出された進出長さの位置に進出するように、長さ調整する（Ｓ０３３）。
【００６１】
つぎに、制御手段１７は、被写体までの測距値、調整後の発光部１０の照射角度、配光特性、キャッチシート１１の進出長さに基づいて、閃光放電管１００の移動距離を算出する（Ｓ０３４）。
【００６２】
そして、制御手段１７は、閃光放電管１００を、算出された移動距離の位置（照射面側）に移動する（Ｓ０３５）とともに、移動後、閃光放電管１００を発光させて（Ｓ０３６）、バウンス撮影する。すなわち、図６に示すように、照射光がキャッチシート１１に反射されて、被写体Ｘに照射されるようになり、通常のバウンス撮影と同等の撮影が行われる。
【００６３】
また、反射体までの測距値が、基準距離許容範囲以内である場合、反射体を利用した通常のバウンス撮影が行われる。
【００６４】
通常のバウンス撮影モードでは、前記と同様に、閃光放電管１００の配光特性が設定基準記憶部１７２から読み出され、第１の測距部１７０によって、被写体との距離が測定される（Ｓ０２０）とともに、第２の測距部１７１によって、反射体との距離が測定される（Ｓ０２１）。
【００６５】
また、制御手段１７は、測距と同時に、発光部１０の照射角度を測定する（Ｓ０３）とともに、閃光放電管１００の収納位置を検知する（Ｓ０６）。
【００６６】
そして、第１の測距部１７０および第２の測距部１７１によって測定されたデータ、および、測定された発光部１０の照射角度が、制御手段１７の測定・調整データ記憶部１７３に記憶される。
【００６７】
つぎに、制御手段１７は、被写体Ｘまでの測距値、反射体までの測距値、測定した発光部１０の照射角度および配光特性に基づいて、バウンス撮影する際の発光部１０の照射角度を算出する（Ｓ０３００）。
【００６８】
そして、制御手段１７は、発光部１０の照射角度を、算出した照射角度の位置（バウンス撮影位置）に調整する（Ｓ０３０１）。
【００６９】
つぎに、被写体Ｘでの測距値、反射体までの測距値、調整後の発光部１０の照射角度および配光特性に基づいて、閃光放電管１００の移動距離を算出する（Ｓ０３０２）。
【００７０】
そして、閃光放電管１００を、算出された移動距離の位置（照射面１０３側）に移動する（Ｓ０３５）とともに、移動後、反射体に向けて閃光放電管１００を発光させて（Ｓ０３６）、被写体に反射体による反射光を照射させて、通常のバウンス撮影を行う。
【００７１】
このように、本実施形態に係る撮像装置１およびストロボ装置２によれば、反射体による反射光の効果が期待できない場合、発光部１０の照射角度が、傾倒位置と起立位置との間で調整されるとともに、キャッチシート１１が、被写体Ｘとの距離に応じて所定の長さに進出するようにしたので、閃光放電管１００の照射光がキャッチシート１１によって被写体に向けて反射されようになる。反射体がある場合のバウンス光と略同等の反射光が被写体に照射されて、好適なバウンス撮影が行われるようになる。
【００７２】
なお、本発明に係るストロボ装置及びストロボ装置を備えた撮像装置は、前記実施形態に限定されるものではなく、本発明の要旨を逸脱しない範囲内において種々変更を加え得ることは勿論である。
【００７３】
例えば、前記実施形態の場合、設定データの読み出し、測距、発光部１０の照射角度の測定については、図７に示したフローにしたがって順次行うようにしたが、順番が入れ替わってもよく、並行して行われてもよい。要は、設定データの読み出し、測距、発光部１０の照射角度の測定が、キャッチシート１１の進出長さの演算が行われる前に完了していればよい。
【００７４】
また、前記実施形態の場合、発光部１０の角度調整を自動で行うようにしたが、手動で行うようにしてもよい。
【００７５】
また、前記実施形態の場合、制御手段１７によって、キャッチシート１１を進出させるようにしたが、第１の測距部１７０および第２の測距部１７１の測定結果が、基準距離範囲外である場合、キャッチシート１１を付勢手段（図示せず）によって進出させるようにしてもよい。
【００７６】
また、前記実施形態の場合、ストロボ本体部８の内部に制御手段１７を備えるようにしたが、撮像装置１の内部に設けてもよく、ストロボ装置２は、撮像装置１に接続されて、制御されるようにしてもよい。
【００７７】
また、前記実施形態の場合、ストロボ本体部８の背面に操作部１８を設けるようにしたが、発光部１０又は撮像装置１に設けるようにしてもよい。
【００７８】
また、前記実施形態の場合、照射角度調整手段１５Ｂによって、発光部１０を傾倒位置から所定の角度の位置に調整するようにしたが、好適な位置を制御手段１７に予め設定するようにしてもよい。
【００７９】
また、前記実施形態の場合、照射角度調整手段１５Ｂの調整範囲が最大９０度まである例を説明したが、これに限定されるものではなく、最大１８０度であってもよい。
【００８０】
また、前記実施形態の場合、バウンス撮影ができない場合、照射光を被写体に照射させるべく、キャッチシート１１を進出するようにしたが、反射体によるバウンス光が被写体に対して強すぎる場合は、図９に示すように、遮光板１２を進出させた状態にして、照射光を被写体に照射するようにしてもよい。この場合、照射光が強すぎることによる、被写体のテカリを防止することができる。
【００８１】
また，前記実施形態の場合，制御手段１７によって，発せられる反射体までの距離が基準距離範囲外であることを警告は，ブザー，光，あるいは操作部画面への警告表示など撮影者に認識させる方法であれば，その手段について限定されるものではない。
【産業上の利用可能性】
【００８２】
本発明に係る撮像装置及びストロボ装置は、キャッチアイ撮影するためのキャッチシートを有効に活用することで、バウンス撮影する装置に有効に活用できる。
【符号の説明】
【００８３】
１  撮像装置
２  ストロボ装置
８  ストロボ本体部
１０  発光部
１００  閃光放電管（光源）
１０３  照射面
１１  キャッチシート
１２  遮光板
１３  キャッチシート移動手段
１４  遮光板移動手段
１５Ａ  照射角度測定手段
１５Ｂ  照射角度調整手段
１６  発光部移動手段
１７  制御手段
１７０  第１の測距部
１７１  第２の測距部
１７２  設定基準記憶部
【図３】
2015031899.tif 000003
【図４】
2015031899.tif 000004
【図５】
2015031899.tif 000005
【図６】
2015031899.tif 000006
【図７】
2015031899.tif 000007
【図８】
2015031899.tif 000008
【図９】
2015031899.tif 000009
【図１】
2015031899.tif 000010
【図２】
2015031899.tif 000011